(57)【要約】      （修正有）【課題】ノートパソコンを収容する位置が変更可能であり、安定性を損なうことがないバッグを提供する。【解決手段】バッグ１は、四方を側壁で囲われた収容部を有するバッグ本体２と、収容部内に設置され、衝撃吸収材料を用いて袋状に形成されたパソコンケース３と、収容部を前後に仕切るように、左壁２３ｃ及び右壁の前後方向の略中央部に跨って、パソコンケース３を着脱可能に固着する第１固着部材２４と、後壁２３ｂに隣接した位置に、パソコンケース３を着脱可能に固着する第２固着部材２７と、を備える。【選択図】図６
0003152054.tif 000002
【実用新案登録請求の範囲】
【請求項１】
四方を側壁で囲われた収容部を有するバッグ本体と、
前記収容部内に設置され、衝撃吸収材料を用いて袋状に形成された袋状部材と、
前記収容部を前後に仕切るように、左右の前記側壁の前後方向の略中央部に跨って、前記袋状部材を着脱可能に固着する第１固着部材と、
前後の前記側壁のいずれか一方に隣接した位置に、前記袋状部材を着脱可能に固着する第２固着部材と、を備えることを特徴とするバッグ。
【請求項２】
前記第１固着部材は、前記袋状部材の前側面に着脱可能に固着する前側固着具と、前記袋状部材の後側面に着脱可能に固着する後側固着具と、を備えてなり、
前記前側固着具及び前記後側固着具は、左右の前記側壁に前後方向に離間して設置されており、前記袋状部材を取り外して前記左右の側壁を前後方向の略中央部で折り曲げることによって互いに固着可能であることを特徴とする請求項１に記載のバッグ。
【請求項３】
前記第２固着部材は、
前後の前記側壁のいずれか一方に固定され、前記袋状部材の前側面及び後側面のいずれか一方に着脱可能に固着する一方側固着具と、
前後の前記側壁のいずれか一方に基端部が固定され、前記袋状部材の左右端部を回り込んで前記袋状部材の前側面及び後側面のいずれか他方側に先端部が配置される連結部材と、
前記連結部材の先端部に固定され、前記袋状部材の前側面及び後側面のいずれか他方に着脱可能に固着する他方側固着具と、を備えることを特徴とする請求項１又は請求項２に記載のバッグ。
【請求項４】
前記袋状部材は、前記収容部を前後に仕切るように、左右の前記側壁の前後方向の略中央部に跨って前記袋状部材を配置したときに、前記第１固着部材に固着する被固着部材を備え、
前記被固着部材は、前後の前記側壁のいずれか一方に隣接した位置に前記袋状部材を配置したときに、前記第２固着部材に固着可能であることを特徴とする請求項１から請求項３のいずれか１項に記載のバッグ。
【請求項５】
前記第１固着部材、前記第２固着部材及び前記被固着部材は、それぞれ、雄型クリップと、この雄型クリップに嵌合する雌型クリップと、を含んで構成されていることを特徴とする請求項４に記載のバッグ。
【考案の詳細な説明】
【技術分野】
【０００１】  本考案は、バッグに関し、特に、ノートパソコンを収容可能なバッグに関する。
【背景技術】
【０００２】  従来、ノート型パソコンを収容するタイプのバッグとしては、例えば、特許文献１には、正面部材と背面部材が底面で連結されており、バッグ本体の側面は開閉手段により閉じられるバッグにおいて、正面部材の内面上部と背面部材の内面上部に両端が固着される緩衝シートを設け、該緩衝シートが折り返される下端とバッグ本体の底面との間に空間を有するノートパソコン用収納バッグが開示されている。
このバッグによれば、緩衝シートと空間部分により、バッグ本体に外部から衝撃が加わっても、ノートパソコンを守ることができる。
【先行技術文献】
【特許文献】
【０００３】
【特許文献１】特開２００３−２３０４１７号公報
【考案の概要】
【考案が解決しようとする課題】
【０００４】  しかしながら、従来のノートパソコン用バッグは、ノートパソコンを収容する位置が限定されているため、他の収容物を収容する空間の形状や位置も限定されてしまうという問題があった。つまり、他の収容物の量や形状に応じて、ノートパソコンを収容する位置を変更できることが望まれていた。
一方、ノートパソコンをバッグの収容部に固定せずに自由に収容した場合には、収容部の中でノートパソコンが傾いたりして、バッグの安定性が損なわれることがあった。【０００５】  本考案は、これらの事情に鑑みて創案されたものであり、ノートパソコンを収容する位置を変更可能であり、安定性を損なうことがないバッグを提供することを課題とする。
【課題を解決するための手段】
【０００６】  本考案に係るバッグは、四方を側壁で囲われた収容部を有するバッグ本体と、前記収容部内に設置され、衝撃吸収材料を用いて袋状に形成された袋状部材と、前記収容部を前後に仕切るように、左右の前記側壁の前後方向の略中央部に跨って、前記袋状部材を着脱可能に固着する第１固着部材と、前後の前記側壁のいずれか一方に隣接した位置に、前記袋状部材を着脱可能に固着する第２固着部材と、を備えることを特徴とする。【０００７】  かかる構成によれば、袋状部材を第１固着部材に固着すると、バッグ本体の収容部を前後に仕切って２つの空間として使用することができ、袋状部材を第２固着部に固着すると、バッグ本体の収容部を単一の空間として使用することができるので、他の収容物の量や形状に応じて、ノートパソコンを収容する位置を変更できる。
また、ノートパソコンを収容した袋状部材を第１固着部材に固着した場合には、バッグ本体の収容部の前後方向の略中央部にノートパソコンを安定して配置することができ、ノートパソコンを収容した袋状部材を第２固着部材に固着した場合には、バッグ本体の収容部の前後の側壁に隣接した位置にノートパソコンを安定して配置することができる。【０００８】  また、前記第１固着部材は、前記袋状部材の前側面に着脱可能に固着する前側固着具と、前記袋状部材の後側面に着脱可能に固着する後側固着具と、を備えてなり、前記前側固着具及び前記後側固着具は、左右の前記側壁に前後方向に離間して設置されており、前記袋状部材を取り外して前記左右の側壁を前後方向の略中央部で折り曲げることによって互いに固着可能であるのが好ましい。【０００９】  かかる構成によれば、ノートパソコンを収容しない場合は、袋状部材を取り外して、前側固着具と後側固着具とを固着することにより、左右の側壁を折り曲げてバッグのマチを調整することができる。これにより、例えば収容物の量が少ない場合に、バッグのマチを小さくして、収容物の安定を図るとともにデザイン性を向上することができる。
また、第１固定部材が、袋状部材を固定する機能と、左右の側壁を折り曲げてバッグのマチを調整する機能とを兼ねているので、製造工数や材料費を抑制することができる。【００１０】  また、前記第２固着部材は、前後の前記側壁のいずれか一方に固定され、前記袋状部材の前側面及び後側面のいずれか一方に着脱可能に固着する一方側固着具と、前後の前記側壁のいずれか一方に基端部が固定され、前記袋状部材の左右端部を回り込んで前記袋状部材の前側面及び後側面のいずれか他方側に先端部が配置される連結部材と、前記連結部材の先端部に固定され、前記袋状部材の前側面及び後側面のいずれか他方に着脱可能に固着する他方側固着具と、を備える構成とするのが好ましい。【００１１】  かかる構成によれば、バッグ本体の前後の側壁に隣接して袋状部材を配置したときに、袋状部材をバッグの前後（両側）から保持することができる。そのため、袋状部材の安定性が向上し、ひいてはバッグの安定性が向上する。【００１２】  また、前記袋状部材は、前記収容部を前後に仕切るように、左右の前記側壁の前後方向の略中央部に跨って前記袋状部材を配置したときに、前記第１固着部材に固着する被固着部材を備え、前記被固着部材は、前後の前記側壁のいずれか一方に隣接した位置に前記袋状部材を配置したときに、前記第２固着部材に固着可能であるように構成するのが好ましい。【００１３】  かかる構成によれば、袋状部材を第１固着部材に固定するための被固着部材と、袋状部材を第２固着部材に固定するための被固着部材と、が共通しているので、製造工数や材料費を抑制することができる。【００１４】  また、前記第１固着部材、前記第２固着部材及び前記被固着部材は、それぞれ、雄型クリップと、この雄型クリップに嵌合する雌型クリップと、を含んで構成されているのが好ましい。【００１５】  かかる構成によれば、雄型クリップと雌型クリップとを嵌め合わせることにより、第１固着部材及び第２固着部材のどちらにも、袋状部材を容易に固着することができる。また、袋状部材を取り外した状態において、第１固着部材の雄型クリップと雌型クリップとを嵌め合わせることにより、左右の側壁を折り畳んだ状態にすることができる。
【考案の効果】
【００１６】  本考案によれば、ノートパソコンを収容する位置を変更可能であり、安定性を損なうことがないバッグを提供することができる。
【図面の簡単な説明】
【００１７】
【図１】  バッグの正面図である。
【図２】  バッグの平面図である。
【図３】  図１のＩ−Ｉ線断面図である。
【図４】  パソコンケースの正面図である。
【図５】  パソコンケースの側面図である。
【図６】  バッグの左壁付近を見下ろした状態を示す斜視図である。
【図７】  マチを留めたバッグの正面図である。
【図８】  マチを留めたバッグの平面図である。
【図９】  後壁に隣接した位置にパソコンケースを配置したバッグの平面図である。
【図１０】  後壁に隣接した位置にパソコンケースを配置したバッグの左壁付近を見下ろした状態を示す斜視図である。
【考案を実施するための最良の形態】
【００１８】  次に、本考案の実施形態について、適宜図面を参照しながら詳細に説明する。以下の説明において、方向を示すときは、図１、図２に示す前後左右上下を基準として説明する。【００１９】  図１乃至図３に示すように、本実施形態に係るバッグ１は、凹状の収納部２１を備えるバッグ本体２と、収納部２１に着脱可能に固着される袋状部材たるパソコンケース３と、を備えている。
バッグ本体２は、平面視で四角状の底壁２２と、この底壁２２の四方から立ち上がる前壁２３ａ、後壁２３ｂ、左壁２３ｃ、右壁２３ｄ（以下、これらをまとめて「側壁２３」という場合がある。）と、を備えている。これらの底壁２２と側壁２３とに囲まれた空間が収納部２１を構成している。
なお、前壁２３ａ及び後壁２３ｂには円弧状の把持部２７，２７がそれぞれ取り付けられている。
図２、図３に示すように、収納部２１の前後方向の中央には、パソコンケース３が設置されている。【００２０】  図２及び図６に示すように、左壁２３ｃ及び右壁２３ｄの内面の上端寄りの部分には、パソコンケース３を着脱可能に固着する第１固着部材２４，２４が設けられている。
図６に示すように、各第１固着部材２４は、凸部を有する雄型クリップ２４ａと、この凸部に嵌り合う凹部を有する雌型クリップ２４ｂと、から構成されている。雄型クリップ２４ａと雌型クリップ２４ｂとは、互いに前後方向に離間している。本実施形態では、雌型クリップ２４ｂが前寄りに位置し、雄型クリップ２４ａが後寄りに位置している。
なお、「雄型クリップ２４ａ」及び「雌型クリップ２４ｂ」が、実用新案登録請求の範囲における「前側固着具」及び「後側固着具」に相当する。【００２１】  なお、図６に示すように、左壁２３ｃ及び右壁２３ｄの内面の第１固着部材２４，２４の下方には、パソコンケース３に着脱自在に固着する帯状の面ファスナー２５のフック部２５ａが前後方向に長尺となるように取り付けられている。【００２２】  図４、図５に示すように、パソコンケース３は、側面視長方形状を呈する薄板状の袋状部材である。パソコンケース３は、例えばウレタンなどの衝撃吸収材料を用いて形成されている。パソコンケース３の上端には、ファスナー３１が設けられており、開閉自在になっている。【００２３】  パソコンケース３の左端部３ａ及び右端部３ｂの上端寄りには、バッグ本体２の第１固着部材２４に固着する被固着部材３２，３２が設置されている。各被固着部材３２は、パソコンケース３の前面３３に取り付けられる雄型クリップ３２ａと、パソコンケース３の後面３４に取り付けられる雄型クリップ３２ａと、から構成されている。【００２４】  また、パソコンケース３の左端部３ａ及び右端部３ｂであって被固着部材３４の下方には、左壁２３ｃ及び右壁２３ｄに設置された面ファスナー２５のフック部２５ａに固着する面ファスナー２５のループ部２５ｂ，２５ｂがそれぞれ設置されている。【００２５】  次に、バッグ本体２の収納部２１の前後方向の中央部にパソコンケース３を取り付ける場合について説明する。【００２６】  図６に示すように、まず、収納部２１の前後方向の中央部にパソコンケース３を配置する。そして、左壁２３ｃの中央部を外側が山となるように折り曲げることにより、左壁２３ｃの内面の前寄りに設けられた第１の固着部材２４の雌型クリップ２４ｂと、パソコンケース３の左端部３ａ側の前面に設けられた被固着部材３４の雄型クリップ３２ａとを嵌め合わせるとともに、左壁２３ｃの内面の後ろ寄りに設けられた第１の固着部材２４の雄型クリップ２４ａと、パソコンケース３の左端部３ａ側の後面に設けられた被固着部材３４の雌型クリップ３２ｂとを嵌め合わせる。【００２７】  同様に、右壁２３ｄの中央部を外側が山となるように折り曲げることにより、右壁２３ｄの内面の前寄りに設けられた第１の固着部材２４の雌型クリップ２４ｂと、パソコンケース３の右端部３ｂ側の前面に設けられた被固着部材３４の雄型クリップ３２ａとを嵌め合わせるとともに、右壁２３ｄの内面の後ろ寄りに設けられた第１の固着部材２４の雄型クリップ２４ａと、パソコンケース３の右端部３ｂ側の後面に設けられた被固着部材３４の雌型クリップ３２ｂとを嵌め合わせる。【００２８】  さらに、左壁２３ｃ及び右壁２５ｄの中央部を外側が山となるように折り曲げることにより、左壁２３ｃ及び右壁２５ｄに取り付けた面ファスナー２５のフック部２５ａ，２５ａを、パソコンケース３の左端部３ａ及び右端部３ｂに取り付けた面ファスナー２５のループ部２５ｂ，２５ｂに巻き付けるように当接させる。【００２９】  これにより、パソコンケース３が、収容部２１を前後に仕切るように、左壁２３ｃと右壁２３ｄの前後方向の略中央部に跨って固着されることとなる。
なお、パソコンケース３をバッグ本体２から取り外す場合は、取り付け手順と逆の手順を行えばよいので詳細な説明を省略する。【００３０】  次に、パソコンケース３を取り外した場合について説明する。
図７、図８に示すように、本実施形態に係るバッグ１は、バッグ本体２からパソコンケース３を取り外した状態で、左壁２３ｃ及び右壁２３ｄを折り畳んで、収容部２１のマチを小さくすることができる。
具体的には、左壁２３ｃ及び右壁２５ｄの中央部を外側が山となるように折り曲げることにより、左壁２３ｃの内面の前寄りに設けられた第１の固着部材２４の雌型クリップ２４ｂと、左壁２３ｃの内面の後ろ寄りに設けられた第１の固着部材２４の雄型クリップ２４ａと、を嵌め合わせる。これにより、左壁２３ｃ及び右壁２３ｄが折り畳まれた状態で保持されることとなる。【００３１】  このように、本実施形態に係るバッグ１は、収容部２１に収容する物の量に合わせてバッグ１の前後方向の寸法を調整できるので、収容部２１内における収容物の安定を図ることができるとともにバッグ１のデザイン性を向上することができる。【００３２】  次に、バッグ本体２の後壁２３ｂに隣接した位置にパソコンケース３を固着する場合について説明する。
図１０に示すように、バッグ本体２の後壁２３ｂの内面には、パソコンケース３の被固着部材３４に対応する位置に、第２固着部材２７，２７（左側のみ図示）が設けられている。
第２固着部材２７は、後壁２３ｂに固定された雄型クリップ２７１と、後壁２３ｂに基端部２７２ａが固定された帯状の連結部材２７１と、連結部材２７１の先端部２７２ｂに固定された雌型クリップ２７３と、から構成されている。
なお、この「雄型クリップ２７１」及び「雌型クリップ２７３」が、実用新案登録請求の範囲における「一方側固着具」及び「他方側固着具」に相当する。【００３３】  また、図１０に示すように、バッグ本体２の後壁２３ｂの内面であって、第２固着部材２７の下方には、面ファスナー２５のフック部２５ｃが取り付けられている。フック部２５ｃの後壁２３ｂ側の端部は、後壁２３ｂに固定されており、フック部２５ｃの後壁２３ｂと反対側の端部は収納部２１の内部に向かって延出している。【００３４】  バッグ本体２の後壁２３ｂに隣接した位置にパソコンケース３を固着する場合は、まず、図９に示すように、バッグ本体２の後壁２３ｂに隣接した位置にパソコンケース３を配置し、第２固着部材２７の雄型クリップ２７１と、パソコンケース３の後面３４に固定された被固着部材３２の雌型クリップ３２ｂとを嵌め合わせる。
このとき、連結部材２７２の先端部をパソコンケース３の前面３３側に配置するとともに、フック部２５ｃの先端部もパソコンケース３の前面３３側に配置する。
そして、連結部材２７２の先端部２７２ｂに固定された雌型クリップ２７３と、パソコンケース３の前面３３に固定された被固着部材３２の雄型クリップ３２ａとを嵌め合わせる。【００３５】  また、第２固着部材２７と被固着部材３４との固着に合わせて、後壁２３ｂに取り付けられた面ファスナー２５のフック部２５ｃを、パソコンケース３取り付けられた面ファスナー２５のループ部２５ｂに巻き付けるように当接させる。
これにより、バッグ本体２の後壁２３ｂに隣接した位置にパソコンケース３が固着されることとなる。【００３６】  本実施形態に係るバッグ１によれば、パソコンケース３を第１固着部材２４に固着すると、バッグ本体２の収容部２１を前後に仕切って２つの空間として使用することができ、パソコンケース３を第２固着部２７に固着すると、バッグ本体２の収容部２１を単一の空間として使用することができるので、他の収容物の量や形状に応じて、ノートパソコンを収容する位置を変更できる。【００３７】  また、ノートパソコンを収容したパソコンケース３を第１固着部材２４に固着した場合には、バッグ本体２の収容部２１の前後方向の略中央部にノートパソコンを安定して配置することができる。さらに、ノートパソコンを収容したパソコンケース３を第２固着部材２７に固着した場合には、バッグ本体２の収容部２１の前後の側壁に隣接した位置にノートパソコンを安定して配置することができる。そのため、バッグ１の安定性が向上する。【００３８】  また、ノートパソコンを収容しない場合は、パソコンケース３を取り外して、第１固着部材２４の雄型クリップ２４ａと雌型クリップ２３ｂとを固着することにより、左壁２３ｃ及び右壁２３ｄを折り曲げてバッグ１のマチを調整することができる。これにより、例えば収容物の量が少ない場合に、バッグ１のマチを小さくして、収容物の安定を図るとともにデザイン性を向上することができる。
また、第１固定部材２４が、パソコンケース３を固定する機能と、左壁２３ｃ及び右壁２３ｄを折り曲げてバッグ１のマチを調整する機能とを兼ねているので、製造工数や材料費を抑制することができる。【００３９】  また、本実施形態に係るバッグ１によれば、バッグ本体２の後壁２３ｂに隣接してパソコンケース３を配置したときに、第２固着部材２７によって、パソコンケース３を前後（両側）から保持することができるので、パソコンケース３の安定性が向上し、ひいてはバッグ１の安定性が向上する。【００４０】  また、本実施形態に係るバッグ１によれば、パソコンケース３の被固着部材３２が、第１固着部２４と第２固着部材２７の両方に固着可能であるので、被固着部材３２を共通にすることができる。そのため、製造工数や材料費を抑制することができる。【００４１】  以上、本考案の実施形態について図面を参照して説明したが、本考案はこれに限定されるものではなく、本考案の主旨を逸脱しない範囲で適宜変更が可能である。【００４２】  例えば、本実施形態では、第２固着部材２７をバッグ本体２の後壁２３ｂに設置したが、バッグ本体２の前壁２３ａに設置してもよい。このようにすれば、バッグ本体２の前壁２３ａに隣接した位置にパソコンケース３を固着することができる。【００４３】  また、本実施形態では、第１固着部材２４、第２固着部材２７及び被固着部材３２を、雄型クリップと雌型クリップで構成したが、これに限定されるものではなく、例えば面ファスナーなどの公知の材料の中から適宜選択して用いてよいことは勿論である。
【符号の説明】
【００４４】  １      バッグ
２      バッグ本体
３      パソコンケース（袋状部材）
２４    第１固着部材
２７    第２固着部材
３２    被固着部材
【図１】
0003152054.tif 000003
【図２】
0003152054.tif 000004
【図３】
0003152054.tif 000005
【図４】
0003152054.tif 000006
【図５】
0003152054.tif 000007
【図６】
0003152054.tif 000008
【図７】
0003152054.tif 000009
【図８】
0003152054.tif 000010
【図９】
0003152054.tif 000011
【図１０】
0003152054.tif 000012